(57)【特許請求の範囲】
【請求項１】
貨幣を収納する収納部を備えた金銭登録機と、前記収納部から回収された前記貨幣を収納する納金機と、前記金銭登録機と前記納金機とをそれぞれ通信手段を介して接続してなる納金管理装置とを含み、
前記金銭登録機は、前記収納部から前記貨幣を回収するオペレータの識別情報を取得する回収オペレータ取得手段と、前記収納部から回収される貨幣の金銭的価値を合計する合計手段と、この合計手段により合計された前記金銭的価値合計額に前記回収オペレータ取得手段で取得したオペレータ識別情報を付加した回収情報を、前記通信手段を介して前記納金管理装置に送信する回収情報送信手段と、を具備し、
前記納金機は、前記貨幣を納めるオペレータの識別情報を取得する収納オペレータ取得手段と、前記貨幣を収納したことを、前記収納オペレータ取得手段により取得したオペレータ識別情報とともに前記通信手段を介して前記納金管理装置に通知する収納通知手段と、を具備し、
前記納金管理装置は、前記金銭登録機から受信した前記回収情報に含まれる前記金銭的価値合計額をその回収情報に含まれる前記オペレータ識別情報別に記憶する記憶手段と、前記納金機から前記オペレータ識別情報とともに前記貨幣を収納したことが通知されると、前記記憶手段で記憶された前記金銭的価値合計額のうち前記納金機から通知されたオペレータ識別情報に対応して記憶されている前記金銭的価値合計額を、前記通信手段を介して前記納金機に送信する価値合計額送信手段と、を具備したことを特徴とする納金管理システム。
【請求項２】
前記貨幣は、金券または汚損貨幣であることを特徴とする請求項１記載の納金管理システム。
【請求項３】
貨幣を収納する収納部を備えた金銭登録機と、前記収納部から回収された前記貨幣を収納する納金機とをそれぞれ通信手段を介して接続してなる納金管理装置において、
前記金銭登録機から、前記収納部から回収される貨幣の金銭的価値合計額と前記収納部から前記貨幣を回収するオペレータの識別情報とを含む回収情報を受信する回収情報受信手段と、
前記金銭登録機から受信した前記回収情報に含まれる前記金銭的価値合計額をその回収情報に含まれる前記オペレータの識別情報別に記憶する記憶手段と、
前記納金機から前記オペレータの識別情報とともに前記貨幣を収納したことの通知を受けたことに応じて、前記記憶手段で記憶された前記金銭的価値合計額のうち前記納金機から通知されたオペレータの識別情報に対応して記憶されている前記金銭的価値合計額を前記納金機に送信する価値合計額送信手段と、
を具備したことを特徴とする納金管理装置。
【請求項４】
前記貨幣は、金券または汚損貨幣であることを特徴とする請求項３記載の納金管理装置。
【請求項５】
貨幣を収納する収納部を備えた金銭登録機と、前記収納部から回収された前記貨幣を収納する納金機とをそれぞれ通信手段を介して接続してなるコンピュータに、
前記金銭登録機から、前記収納部から回収される貨幣の金銭的価値合計額と前記収納部から前記貨幣を回収するオペレータの識別情報とを含む回収情報を受信させる回収情報受信機能と、
前記金銭登録機から受信した前記回収情報に含まれる前記金銭的価値合計額をその回収情報に含まれる前記オペレータの識別情報別に記憶部で記憶させる記憶機能と、
前記納金機から前記オペレータの識別情報とともに前記貨幣を収納したことの通知を受けたことに応じて、前記記憶部で記憶された前記金銭的価値合計額のうち前記納金機から通知されたオペレータの識別情報に対応して記憶されている前記金銭的価値合計額を前記納金機に送信させる価値合計額送信機能と、
を実現させるための納金管理プログラム。
【発明の詳細な説明】
【技術分野】
【０００１】
本発明の実施形態は、納めた貨幣を管理する納金管理システム及びこのシステムを構成する納金管理装置並びにコンピュータを前記納金管理装置として機能させるプログラムに関する。
【背景技術】
【０００２】
商品を小売する店では、商品の購入代金として、顧客から受け取った貨幣を金銭登録機に登録する。金銭登録機は、貨幣を収納するドロア、入金機を備える。
【０００３】
金銭登録機を複数設置している店の中には、各金銭登録機から集められた貨幣を納める納金機が設置されているところがある。貨幣としては、紙幣や硬貨等の現金通貨、商品券等の金券、小切手等の有価証券等がある。金券や有価証券は、特定の限られた範囲内で現金通貨の代わりに通用する。
【０００４】
店では、店員が金銭登録機のドロワ、入金機等から貨幣を回収し、回収した貨幣を納金機に収納する。この時、店員は、納金機を操作して、納めた貨幣の種別、貨幣別総額等を入力する。納金機は、入力データを記憶管理する。
【先行技術文献】
【特許文献】
【０００５】
【特許文献１】特開２００２−０９２７４２号公報
【発明の概要】
【発明が解決しようとする課題】
【０００６】
本発明が解決しようとする課題は、貨幣を納金機に収納する際の手間を軽減するとともに、納金データの信頼性向上を図り得る納金管理システム及びこのシステムの納金管理装置を提供しようとするものである。
【課題を解決するための手段】
【０００７】
一実施形態において、納金管理システムは、貨幣を収納する収納部を備えた金銭登録機と、収納部から回収された貨幣を収納する納金機と、金銭登録機と納金機とをそれぞれ通信手段を介して接続してなる納金管理装置とを含む。金銭登録機は、収納部から貨幣を回収するオペレータの識別情報を取得するとともに、収納部から回収される貨幣の金銭的価値を合計し、この合計された金銭的価値合計額にオペレータ識別情報を付加した回収情報を、通信手段を介して納金管理装置に送信する。納金機は、貨幣を納めるオペレータの識別情報を取得するとともに、貨幣を収納したことをオペレータ識別情報とともに、通信手段を介して納金管理装置に通知する。納金管理装置は、金銭登録機から受信した回収情報に含まれる金銭的価値合計額をその回収情報に含まれるオペレータ識別情報別に記憶する記憶手段を備える。そして、納金機からオペレータ識別情報とともに貨幣を収納したことが通知されると、記憶手段で記憶された金銭的価値合計額のうち納金機から通知されたオペレータ識別情報に対応して記憶されている金銭的価値合計額を、通信手段を介して前記納金機に送信する。
【図面の簡単な説明】
【０００８】
【図１】一実施形態における納金管理システムの全体構成図。
【図２】同実施形態におけるＰＯＳ端末の要部構成を示すブロック図。
【図３】同実施形態において、ＰＯＳ端末のＲＡＭに形成される主要なメモリエリアを示す模式図。
【図４】同実施形態において、ＰＯＳ端末のＣＰＵが実行する精算業務の処理手順を示す流れ図。
【図５】同実施形態における納金機の要部構成を示すブロック図。
【図６】同実施形態において、納金機のＣＰＵが実行する納金業務の処理手順のＳＴ２１〜ＳＴ３１までを示す流れ図。
【図７】同実施形態において、納金機のＣＰＵが実行する納金業務の処理手順のＳＴ３２〜ＳＴ４１までを示す流れ図。
【図８】同実施形態におけるストアコンピュータの要部構成を示すブロック図。
【図９】同実施形態において、ストアコンピュータのＨＤＤ装置に保存する納金管理ファイルのデータ構造を示す模式図。
【図１０】同実施形態において、ストアコンピュータのＣＰＵが実行する主要な受信処理の手順を示す流れ図。
【図１１】同実施形態において、ストアコンピュータのＣＰＵが実行する現金管理業務の処理手順を示す流れ図。
【図１２】同実施形態において、ストアコンピュータから出力される現金管理レポートの一例を示す図。
【発明を実施するための形態】
【０００９】
以下、納金管理システムの実施形態について、図面を用いて説明する。なお、この実施形態は、スーパーマーケット等の量販店に構築されているＰＯＳシステムを利用して、納金管理を実現する場合である。
【００１０】
図１は、本実施形態における納金管理システム１の全体構成図である。納金管理システム１は、金銭登録機である複数台のＰＯＳ端末１１と、納金管理装置としての機能を有するストアコンピュータ１２と、納金機１３とを含む。各ＰＯＳ端末１１とストアコンピュータ１２とは、店内ＬＡＮ（Local Area Network）１４によって接続され、周知のＰＯＳシステムを構築する。そして、上記店内ＬＡＮ１４に納金機１３が接続されており、納金機１３とストアコンピュータ１２との間でデータ通信が可能となっている。
【００１１】
各ＰＯＳ端末１１は、それぞれ釣銭機１５を接続している。釣銭機１５は、紙幣投入口から投入された紙幣と硬貨投入口から投入された硬貨とをそれぞれ選別して、金種別に金庫に収納する。また釣銭機１５は、ＰＯＳ端末１１から金額の払出指令を受けると、その金額に相当する紙幣または硬貨を金庫から払出口に自動的に払い出す。
【００１２】
図２は、ＰＯＳ端末１１の要部構成を示すブロック図である。ＰＯＳ端末１１は、制御部本体としてＣＰＵ（Central Processing Unit）２０１を搭載している。また、ＰＯＳ端末１１は、プログラム等の固定的データを記憶するＲＯＭ（Read Only Memory）２０２、可変的なデータを記憶するための種々のメモリエリアを有するＲＡＭ（Random Access Memory）２０３、現在の日付及び時刻を計時する時計部２０４、前記ＬＡＮ１４を介して行うデータ通信を制御するＬＡＮコントローラ２０５、前記釣銭機１５との間でデータ信号を授受する釣銭機インターフェース２０６の他、各種入出力デバイスのコントローラとして、キーボードコントローラ２０７、スキャナコントローラ２０８、第１の表示コントローラ２０９、第２の表示コントローラ２１０及びプリンタコントローラ２１１を搭載している。そしてＣＰＵ２０１と、ＲＯＭ２０２、ＲＡＭ２０３、時計部２０４、ＬＡＮコントローラ２０５、釣銭機インターフェース２０６及び各種入出力デバイスのコントローラ２０７〜２１１とを、アドレスバス，データバス等のバスライン２１２で接続している。
【００１３】
キーボードコントローラ２０７は、商取引の決済業務に用いられる種々のキーが配設されたキーボード２２１を制御する。スキャナコントローラ２０８は、商品等に付されたバーコードを光学的に読み取るためのスキャナ２２２を制御する。第１の表示コントローラ２０９は、オペレータに対して画像を表示するオペレータ用ディスプレイ２２３を制御する。第２の表示コントローラ２１０は、客に対して画像を表示する客用ディスプレイ２２４を制御する。プリンタコントローラ２１１は、レシート等を印字するためのプリンタ２２５を制御する。
【００１４】
また、ＰＯＳ端末１１は、図示しないが、商品販売または役務提供に対して客から支払われた紙幣及び硬貨の現金通貨以外の貨幣を収納する収納部として、例えば商品券等の金券を収納する券収納部と、汚損により釣銭機１５で選別不能な貨幣を収納する汚損貨幣収納部とを備えている。
【００１５】
かかる構成のＰＯＳ端末１１は、釣銭機インターフェース２０６を介して接続される釣銭機１５の現金在高を管理するためのメモリエリアとして、図３に示すように、釣銭準備金額Ａのエリア３１と、現金売上金額Ｂのエリア３２と、在高金額理論値Ｃのエリア３３と、回収金額Ｄのエリア３４とを、ＲＡＭ２０３に形成している。釣銭準備金額Ａは、１営業日の開店前の段階において、釣銭機１５の金庫内に用意されている現金通貨の総額である。現金売上金額Ｂは、１営業日において、当該ＰＯＳ端末１１で決済された商取引のうち現金払いで決済された商取引の支払い金額の総額である。在高金額理論値Ｃは、釣銭準備金額Ａを初期値とし、現金払いで決済された商取引が発生する毎にその商取引の現金売上金額Ｂを加算した金額である。回収金額Ｄは、釣銭機１５の金庫から回収した現金通貨の金額である。
【００１６】
またＰＯＳ端末１１は、図３に示すように、現金通貨以外の支払項目（クレジット、金券、掛売等）別に支払金額と回収フラグＦとを記憶する現外支払テーブル３５と、汚損貨幣収納部に収納された汚損貨幣の合計額を記憶するエリア３６とを、ＲＡＭ２０３に形成している。回収フラグＦは、対応する支払項目で用いられる貨幣が、毎営業日の閉店後の精算業務において回収され、納金機１３に収納される場合に“１”にセットされ、それ以外は“０”にリセットされる。つまり、本実施形態では、支払項目「金券」の貨幣である商品券は納金機１３に収納されるので、“１”にセットされている。
【００１７】
しかして、商品販売または役務提供に対する代金が現金通貨で支払われた商取引をＰＯＳ端末１１で決済した場合には、その代金がエリア３２の現金売上金額Ｂに加算される。一方、商品券で支払われた商取引をＰＯＳ端末１１で決済した場合には、代金が現外支払テーブル３５の支払項目「金券」に対応する支払金額に加算される。また、代金の一部が商品券で支払われ、残りが現金通貨で支払われた商取引をＰＯＳ端末１１で決済した場合には、商品券による支払金額が現外支払テーブル３５の支払項目「金券」に対応する支払金額に加算され、現金通貨による支払金額がエリア３２の現金売上金額Ｂに加算される。
【００１８】
ところで、商品販売または役務提供に対する代金として客から支払いを受けた現金通貨を釣銭機１５に投入したが、少なくとも一部の通貨が選別されなかった場合には、キャッシャは、選別不能な通貨の金額をキーボード２２１から手入力する。これにより、ＰＯＳ端末１１では、手入力された通貨の金額が汚損貨幣の金額としてエリア３６の汚損貨幣合計額に加算される。ここに、ＰＯＳ端末１１は、商品販売または役務提供に対して支払われた貨幣の金銭的価値を合計する合計手段を備えている。
【００１９】
ＰＯＳ端末１１では、１営業日の閉店後に精算業務が実行される。図４は、精算業務に対するＣＰＵ２０１の制御手順を示す流れ図である。この手順は、ＲＯＭ２０２に格納された精算業務プログラムに従う。
【００２０】
精算業務が開始されると、先ず、ＣＰＵ２０１は、精算業務を実行可能か否かを判断する（ＳＴ１）。精算業務は、精算業務を許容されたオペレータがサインオンを宣言している場合に実行可能である。サインオンを宣言する際、オペレータは、入力デバイス（キーボード２２１、スキャナ２２２）を操作して、自らのオペレータ識別情報であるオペレータＩＤを入力する。すなわちＣＰＵ２０１は、サインオン中のオペレータＩＤが、精算業務を許容されたオペレータのものか否かを判断する。精算業務を許容されたオペレータのオペレータＩＤは、予めＲＡＭ２０３に設定されている。サインオン中のオペレータＩＤが精算業務を許容されたオペレータのものでないとき、精算業務は実行不可能である（ＳＴ１のＮＯ）。この場合、ＣＰＵ２０１は、処理を終了する。
【００２１】
サインオン中のオペレータＩＤが、精算業務を許容されたオペレータのものであるとき（ＳＴ１のＹＥＳ）、ＣＰＵ２０１は、釣銭準備金変更コマンドを受信しているか否かを判断する（ＳＴ２）。当該コマンドは、釣銭機１５内の釣銭準備金額Ａを変更する必要があるとき、精算業務の前に、ストアコンピュータ１２からＬＡＮ１４を通じて各ＰＯＳ端末１１に配信される。
【００２２】
釣銭準備金変更コマンドを受信していないとき（ＳＴ２のＮＯ）、ＣＰＵ２０１は、メモリエリア３２の現金売上金額Ｂからメモリエリア３４の回収金額Ｄを減額した金額を、新たな回収金額Ｄとしてメモリエリア３４に上書きする（ＳＴ３）。これに対し、釣銭準備金変更コマンドを受信しているときには（ＳＴ２のＹＥＳ）、ＣＰＵ２０１は、メモリエリア３１の釣銭準備金額Ａを変更後の金額に更新する（ＳＴ４）。そして、メモリエリア３３の在高金額理論値Ｃから更新後の釣銭準備金額Ａを減算し、その差を回収金額Ｄとしてメモリエリア３４に上書きする（ＳＴ５）。
【００２３】
次に、ＣＰＵ２０１は、釣銭機インターフェース２０６を介して釣銭機１５に回収金額Ｄの回収コマンドを送信する（ＳＴ６）。また、サインオン中のオペレータＩＤをメモリから取得し、このオペレータＩＤを含むＰＯＳ回収情報を、ＬＡＮコントローラ２０５を介してストアコンピュータ１２に送信する（ＳＴ７）。ＰＯＳ回収情報には、オペレータＩＤ以外に、時計部２０４で計時されている現在の日時情報と、メモリエリア３４の回収金額Ｄと、現外支払テーブル３５の回収フラグＦが“１”にセットされた支払項目「金券」の支払金額と、メモリエリア３６の汚損貨幣合計額とが含まれる。
【００２４】
ここに、ＰＯＳ端末１１は、収納部から貨幣を回収するオペレータの識別情報を取得する回収オペレータ取得手段と、合計手段により合計された貨幣の金銭的価値合計額を含む回収情報を、通信手段を介して納金管理装置１２に送信する回収情報送信手段とを備えている。
【００２５】
しかる後、ＣＰＵ２０１は、精算処理を実行する（ＳＴ８）。この精算処理により、当該ＰＯＳ端末１１で１営業日に売上登録された各商品の販売データが集計され、その集計データが精算レポートとしてプリンタ２２５によりレシート用紙に印刷出力される。以上で、精算業務は終了する。
【００２６】
因みに、前記回収コマンドを受信した釣銭機１５では、そのコマンド中の回収金額Ｄに相当する紙幣または硬貨が金庫から払出口に自動的に払い出される。そこで、精算業務を担当する店員、すなわちサインオン中のオペレータＩＤで識別される店員は、釣銭機１５から払い出された現金通貨を回収する。また、券収納部に収納されている金券と、汚損貨幣収納部に収納されている汚損貨幣とを回収する。そして、回収した貨幣（現金通貨、金券、汚損貨幣）を持参して納金機１３まで出向き、納金機１３に納める。このとき店員は、複数台のＰＯＳ端末１１から夫々回収した貨幣を一括して納金機１３に納めてもよい。
【００２７】
納金機１３は、ＰＯＳ端末１１から回収した貨幣（現金通貨、金券、汚損貨幣）を収納するための装置で、店のバックヤードに設置されている。納金機１３は、売上金の回収を委託する警備輸送会社あるいは金融機関等の管理会社のサーバ１６とオンラインで接続されている。
【００２８】
図５は、納金機１３の要部構成を示すブロック図である。納金機１３は、制御部本体としてＣＰＵ３０１を搭載している。また、納金機１３は、プログラム等の固定的データを記憶するＲＯＭ３０２、可変的なデータを記憶するための種々のメモリエリアを有するＲＡＭ３０３、補助記憶装置としてのＨＤＤ（Hard Disk Drive）装置３０４、現在の日付及び時刻を計時する時計部３０５、前記ＬＡＮ１４を介して行うデータ通信を制御するＬＡＮコントローラ３０６、前記オンラインで接続された管理会社サーバ１６との間のデータ通信を司る通信インターフェース３０７の他、各種入出力デバイスのコントローラとして、キーボードコントローラ３０８、スキャナコントローラ３０９、表示コントローラ３１０及びプリンタコントローラ３１１を搭載している。そしてＣＰＵ３０１と、ＲＯＭ３０２、ＲＡＭ３０３、ＨＤＤ装置３０４、時計部３０５、ＬＡＮコントローラ３０６、通信インターフェース３０７及び各種入出力デバイスのコントローラ３０８〜３１１とを、アドレスバス，データバス等のバスライン３１２で接続している。
【００２９】
キーボードコントローラ３０８は、キーボード３２１を制御する。スキャナコントローラ３０９は、スキャナ３２２を制御する。表示コントローラ３１０は、ディスプレイ３２３を制御する。プリンタコントローラ３１１は、プリンタ３２４を制御する。
【００３０】
さらに納金機１３は、硬貨投入口３３１、硬貨選別部３３２、硬貨金庫３３３、投入硬貨計数部３３４、紙幣投入口３３５、紙幣選別部３３６、紙幣金庫３３７、投入紙幣計数部３３８、商品券投入口３３９、商品券投入センサ３４０、商品券収納庫３４１、センサ信号入力部３４２、汚損貨幣投入口３４３、汚損貨幣投入センサ３４４、汚損貨幣収納庫３４５及びセンサ信号入力部３４６を備える。
【００３１】
硬貨選別部３３２は、硬貨投入口３３１に投入された硬貨を選別し、金種別に振り分けて硬貨金庫３３３に収納する。投入硬貨計数部３３４は、硬貨選別部３３２で選別された情報を基に、硬貨投入口３３１に投入された硬貨の金種別枚数を計数する。投入硬貨計数部３３４で計数された硬貨の金種別枚数データは、バスライン３１２を介してＣＰＵ３０１に送信される。
【００３２】
紙幣選別部３３６は、紙幣投入口３３５に投入された紙幣を選別し、金種別に振り分けて紙幣金庫３３７に収納する。投入紙幣計数部３３８は、紙幣選別部３３６で選別された情報を基に、紙幣投入口３３５に投入された紙幣の金種別枚数を計数する。投入紙幣計数部３３８で計数された紙幣の金種別枚数データは、バスライン３１２を介してＣＰＵ３０１に送信される。
【００３３】
商品券投入センサ３４０は、商品券投入口３３９に商品券が投入されたことを検知し、検知信号をセンサ信号入力部３４２に出力する。商品券投入口３３９に投入された商品券は、商品券収納庫３４１に収納される。センサ信号入力部３４２に入力された商品券検知信号は、バスライン３１２を介してＣＰＵ３０１に送信される。
【００３４】
汚損貨幣投入センサ３４４は、汚損貨幣投入口３４３に汚損貨幣が投入されたことを検知し、検知信号をセンサ信号入力部３４６に出力する。汚損貨幣投入口３４３に投入された汚損貨幣は、汚損貨幣収納庫３４５に収納される。センサ信号入力部３４６に入力された汚損貨幣検知信号は、バスライン３１２を介してＣＰＵ３０１に送信される。
【００３５】
かかる構成の納金機１３では、キーボード３２１のキー操作により納金業務を選択可能である。納金業務が選択されると、ＣＰＵ３０１は、図６，図７の流れ図に示す手順で納金業務を処理する。この手順は、ＲＯＭ３０２に格納された納金業務プログラムに従う。
【００３６】
納金業務が開始されると、先ず、ＣＰＵ３０１は、ＲＡＭ３０３に記憶される商品券投入フラグＦ１と汚損貨幣投入フラグＦ２をいずれも“０”にリセットする（ＳＴ２１）。次いで、ＣＰＵ３０１は、例えばディスプレイ３２３に「納金者のオペレータＩＤを入力してください」とのメッセージを表示して、納金者ＩＤの入力を促す（ＳＴ２２）。ここで、例えばスキャナ３２２によるオペレータＩＤ用バーコードのスキャニングによりオペレータＩＤが入力されると（ＳＴ２２のＹＥＳ）、ＣＰＵ３０１は、そのオペレータＩＤを納金者ＩＤとして取得し、ＲＡＭ３０３に一時記憶する（ＳＴ２３：収納オペレータ取得手段）。
【００３７】
次に、ＣＰＵ３０１は、例えばディスプレイ３２３に「回収した現金を投入してください」とのメッセージを表示して、納金を促す（ＳＴ２４）。ここで、投入硬貨計数部３３４または投入紙幣計数部３３８から硬貨または紙幣の金種別枚数データが入力されると、ＣＰＵ３０１は、納金有りと判断する（ＳＴ２４のＹＥＳ）。この場合、ＣＰＵ３０１は、硬貨または紙幣の金種別枚数データから納金金額Ｇを算出し、ＲＡＭ３０３に一時記憶する（ＳＴ２５）。
【００３８】
次に、ＣＰＵ３０１は、商品券投入口３３９に商品券が投入されたか否かを判断する（ＳＴ２６）。センサ信号入力部３４２を介して商品券投入センサ３４０の検知信号が入力されると、ＣＰＵ３０１は、商品券投入有りと判断する（ＳＴ２６のＹＥＳ）。この場合、ＣＰＵ３０１は、前記商品券投入フラグＦ１を“１”にセットする（ＳＴ２７）。
【００３９】
次に、ＣＰＵ３０１は、汚損貨幣投入口３４３に汚損貨幣が投入されたか否かを判断する（ＳＴ２８）。センサ信号入力部３４６を介して汚損貨幣投入センサ３４４の検知信号が入力されると、ＣＰＵ３０１は、汚損貨幣投入有りと判断する（ＳＴ２８のＹＥＳ）。この場合、ＣＰＵ３０１は、前記汚損貨幣投入フラグＦ２を“１”にセットする（ＳＴ２９）。
【００４０】
ＣＰＵ３０１は、キーボード３２１の確定キー操作により納金確定が宣言されたか否かを判断する（ＳＴ３０）。納金確定が宣言されるまで、ＣＰＵ３０１は、前記ステップＳＴ２４以降の処理を繰り返す。すなわち、硬貨または貨幣が投入されたならば（ＳＴ２４のＹＥＳ）、納金金額Ｇを算出して記憶し（ＳＴ２５）、商品券が投入されたならば（ＳＴ２６のＹＥＳ）、商品券投入フラグＦ１を“１”にセットし（ＳＴ２７）、汚損貨幣が投入されたならば汚損貨幣投入フラグＦ２を“１”にセットする（ＳＴ２８）。
【００４１】
確定キーが操作されて納金確定が宣言されると（ＳＴ３０のＹＥＳ）、ＣＰＵ３０１は、ＲＡＭ３０３で記憶した情報を基に納金実績情報を作成する。納金実績情報には、納金者ＩＤと、時計部３０５で計時されている現在の日時情報と、納金金額Ｇと、商品券投入フラグＦ１と、汚損貨幣投入フラグＦ２とが含まれる。ＣＰＵ３０１は、納金実績情報を、ＬＡＮコントローラ３０６を介してストアコンピュータ１２に送信する（ＳＴ３１：収納通知手段）。
【００４２】
しかる後、ＣＰＵ３０１は、商品券投入フラグＦ１と汚損貨幣投入フラグＦ２をチェックする（ＳＴ３２）。両フラグＦ１，Ｇ２とも“０”にリセットされている場合には（ＳＴ３２のＹＥＳ）、ＣＰＵ３０１は、前記納金実績情報をＨＤＤ装置３０４に保存する（ＳＴ４１）。
【００４３】
これに対し、商品券投入フラグＦ１が“１”にセットされている場合には（ＳＴ３２のＮＯ、ＳＴ３３のＹＥＳ）、ＣＰＵ３０１は、ストアコンピュータ１２から金券支払金額の情報を受信するのを待機する（ＳＴ３４）。金券支払金額の情報を受信したならば、ＣＰＵ３０１は、金券支払金額をＲＡＭ３０３で記憶する（ＳＴ３５）。しかる後、商品券投入フラグＦ１を“０”にリセットする（ＳＴ３６）。
【００４４】
また、汚損貨幣投入フラグＦ２が“１”にセットされている場合には（ＳＴ３２のＮＯ、ＳＴ３７のＹＥＳ）、ＣＰＵ３０１は、ストアコンピュータ１２から汚損貨幣合計額の情報を受信するのを待機する（ＳＴ３８）。汚損貨幣合計額の情報を受信したならば、ＣＰＵ３０１は、汚損貨幣合計額をＲＡＭ３０３で記憶する（ＳＴ３９）。しかる後、商品券投入フラグＦ１を“０”にリセットする（ＳＴ４０）。
【００４５】
こうして、商品券投入フラグＦ１と及び汚損貨幣投入フラグＦ２がいずれも“０”にリセットされたならば（ＳＴ３２のＹＥＳ）、ＣＰＵ３０１は、前記納金実績情報をＨＤＤ装置３０４に保存する（ＳＴ４１）。このとき、金券支払金額がＲＡＭ３０３で記憶されていた場合には、この金券支払金額が納金実績情報に追加される。また、汚損貨幣合計額がＲＡＭ３０３で記憶されていた場合には、この汚損貨幣合計額が納金実績情報に追加される。以上で、納金業務は終了する。
【００４６】
図８は、ストアコンピュータ１２の要部構成を示すブロック図である。ストアコンピュータ１２は、制御部本体としてＣＰＵ４０１を搭載している。また、ストアコンピュータ１２は、プログラム等の固定的データを記憶するＲＯＭ４０２、可変的なデータを記憶するための種々のメモリエリアを有するＲＡＭ４０３、補助記憶装置としてのＨＤＤ装置４０４、現在の日付及び時刻を計時する時計部４０５、前記ＬＡＮ１４を介して行うデータ通信を制御するＬＡＮコントローラ４０６の他、通信インターフェース４０７、キーボードコントローラ４０８、表示コントローラ４０９、マウスインターフェース４１０及びプリンタインターフェース４１１を搭載している。そしてＣＰＵ４０１と、ＲＯＭ４０２、ＲＡＭ４０３、ＨＤＤ装置４０４、時計部４０５、ＬＡＮコントローラ４０６、通信インターフェース４０７、キーボードコントローラ４０８、表示コントローラ４０９、マウスインターフェース４１０及びプリンタインターフェース４１１とを、アドレスバス，データバス等のバスライン４１２で接続している。
【００４７】
キーボードコントローラ４０８は、キーボード４２１を制御する。表示コントローラ４０９は、ディスプレイ４２２を制御する。マウスインターフェース４１０は、マウス（不図示）を電気的に接続する。プリンタインターフェース４１１は、プリンタ（不図示）を電気的に接続する。
【００４８】
かかる構成のストアコンピュータ１２は、図９に示すように、日付別に、被管理者ＩＤに関連付けて回収金額、納金金額、過不足金額、金券金額及び汚損貨幣金額を１レコードとして記録する納金管理ファイル５０を、ＨＤＤ装置４０４に保存している。
【００４９】
また、ストアコンピュータ１２は、ＲＯＭ４０２に納金管理プログラムを実装している。そして、このプログラムに従い、ＣＰＵ４０１は、ＬＡＮコントローラ４０６を介して接続される各ＰＯＳ端末１１あるいは納金機１３からの情報を待機している。情報を受信すると、ＣＰＵ４０１は、図１０の流れ図に示す受信処理を実行する。
【００５０】
先ず、受信情報がＰＯＳ端末１１からのＰＯＳ回収情報であった場合（ＳＴ５１のＹＥＳ：回収情報受信手段）、ＣＰＵ４０１は、当該ＰＯＳ回収情報に含まれる日付が設定された納金管理ファイル５０を検索する。そして、当該ＰＯＳ回収情報のオペレータＩＤが被管理者ＩＤとして登録されているレコードが納金管理ファイル５０に記録されているか調べる（ＳＴ５２）。記録されていない場合（ＳＴ５２のＹＥＳ）、ＣＰＵ４０１は、当該ＰＯＳ回収情報のオペレータＩＤを被管理者ＩＤとして登録したレコードを納金管理ファイル５０に追加する（ＳＴ５３）。記録されていた場合には（ＳＴ５２のＹＥＳ）、ＣＰＵ４０１は、当該レコードを選択する。そしてＣＰＵ４０１は、追加したレコードまたは選択したレコードの回収金額、金券金額及び汚損貨幣金額に、当該ＰＯＳ回収情報の回収金額、金券支払金額及び汚損貨幣合計額を加算する（ＳＴ５４：記憶手段）。
【００５１】
次に、受信情報が納金機１３からの納金実績情報であった場合（ＳＴ５５のＹＥＳ）、ＣＰＵ４０１は、当該納金実績情報の日付が設定された納金管理ファイル５０を検索する。そして、当該納金実績情報の納金者ＩＤが被管理者ＩＤとして登録されているレコードが納金管理ファイル５０に記録されているか調べる（ＳＴ５６）。記録されていない場合（ＳＴ５６のＹＥＳ）、ＰＯＳ端末１１からＰＯＳ回収情報が送信されていない貨幣が納金機１３に収納されたことになるので、ＣＰＵ４０１は、エラーを報知する。例えば、ディスプレイ４２２にエラーメッセージを表示する。このメッセージは、キーボード４２１の確認キーが押下されると消去され、エラー状態が解除される。
【００５２】
当該納金実績情報の納金者ＩＤが被管理者ＩＤとして登録されたレコードが納金管理ファイル５０に記録されている場合（ＳＴ５６のＹＥＳ）、ＣＰＵ４０１は、そのレコードの納金金額に、当該納金実績情報の納金金額を加算する（ＳＴ５７）。
【００５３】
しかる後、ＣＰＵ４０１は、当該納金実績情報に含まれる商品券投入フラグＦ１と汚損貨幣投入フラグＦ２をチェックする（ＳＴ５８）。その結果、両フラグＦ１，Ｇ２とも“０”にリセットされている場合（ＳＴ５８のＹＥＳ）、受信処理は終了する。
【００５４】
商品券投入フラグＦ１がセットされている場合には（ＳＴ５８のＮＯ、ＳＴ５９のＹＥＳ）、ＣＰＵ４０１は、当該納金実績情報の納金者ＩＤが被管理者ＩＤとして登録されたレコードから金券支払金額を取得する（ＳＴ６０）。また、汚損貨幣投入フラグＦ２がセットされている場合には（ＳＴ５８のＮＯ、ＳＴ６１のＹＥＳ）、ＣＰＵ４０１は、同レコードから汚損貨幣合計額を取得する（ＳＴ６２）。そしてＣＰＵ３０１は、同レコードから取得した金額情報（金券支払金額と汚損貨幣合計額の両方またはいずれか一方）を、ＬＡＮコントローラ４０６を介して納金機１３に送信する（ＳＴ６３：価値合計額送信手段）。以上で、受信処理は終了する。
【００５５】
さらにストアコンピュータ１２は、前記現金管理プログラムに従い、現金管理業務を実行する。この現金管理業務は、例えば１営業日の開店前の所定時刻になると、自動的に開始される。
【００５６】
現金管理業務が開始されると、ＣＰＵ４０１は、図１１の流れ図に示す手順の処理を開始する。先ず、ＣＰＵ４０１は、レコードカウンタｎを“０”に初期化する（ＳＴ７１）。続いて、ＣＰＵ４０１は、レコードカウンタｎを“１”だけカウントアップする（ＳＴ７２）。そして、日付が本日より１営業日前の納金管理ファイル５０から、ｎ番目（ｎはレコードカウンタｎのカウント値）のレコードを検出する（ＳＴ７３）。
【００５７】
納金管理ファイル５０からｎ番目のレコードを検出できた場合（ＳＴ７４のＮＯ）、ＣＰＵ４０１は、そのレコードの納金金額から回収減額を減額して過不足金額を算出する（ＳＴ７５）。そしてＣＰＵ４０１は、算出された過不足金額をｎ番目レコードに格納する（ＳＴ７６）。
【００５８】
しかる後、ＣＰＵ４０１は，ステップＳＴ７２の処理に戻る。すなわちＣＰＵ４０１は、レコードカウンタｎをさらに“１”だけカウントアップする（ＳＴ７２）。そして、１営業日前の納金管理ファイル５０からｎ番目のレコードを検出したならば（ＳＴ７３）、過不足金額を算出し（ＳＴ７５）、算出された過不足金額をｎ番目レコードに格納する（ＳＴ７６）。
【００５９】
以後、ＣＰＵ４０１は、１営業日前の納金管理ファイル５０からｎ番目のレコードを検出する毎に、上記ステップＳＴ７２〜ＳＴ７６の処理を繰り返し実行する。そして、ｎ番目のレコードを検出できなかったならば（ＳＴ７４のＹＥＳ）、ＣＰＵ４０１は、納金管理ファイル５０の内容で現金管理レポート７０を作成する（ＳＴ７７）。そして、この現金管理レポート７０をディスプレイ４２２に表示出力する（ＳＴ７８）。以上で、現金管理業務は終了する。
【００６０】
図１２は、現金管理レポート７０の一表示例である。現金管理レポート７０には、被管理者ＩＤで識別されるオペレータ別に、回収金額、納金金額、納金金額から回収金額を減算して算出される過不足金額、金券金額及び汚損貨幣金額のリストが表示される。また、回収金額、納金金額、過不足金額、金券金額及び汚損貨幣金額の夫々の合計も表示される。
【００６１】
なお、現金管理レポート７０がディスプレイ４２２に表示されている間に、例えばキーボード４２１の所定キー操作により印刷が指令されると、ＣＰＵ４０１は、上記現金管理レポート７０の印字データを、プリンタインターフェース４１１を介して接続されたプリンタに出力する。かくして、現金管理レポート７０が印刷出力される。
【００６２】
本実施形態の納金管理システム１が構築された店舗では、１営業日の閉店後に精算業務を許容されたオペレータがＰＯＳ端末１１にサインオンする。そして、精算業務の実行を指令する。このとき、釣銭機１５に残す釣銭準備金に変更がないと仮定すると、当該営業日の現金売上金額から現時点までの回収金額を減額した金額が回収金額Ｄとして算出される。そして、サインオン中のオペレータＩＤと回収金額Ｄと現在の日時情報とを含むＰＯＳ回収情報が、ストアコンピュータ１２に送信される。ＰＯＳ回収情報には、さらに、現外支払テーブル３５の回収フラグＦが“１”にセットされた支払項目「金券」の支払金額と、メモリエリア３６の汚損貨幣合計額も含まれる。
【００６３】
また、釣銭機１５からは、回収金額Ｄに相当する現金通貨が払い出される。その結果、釣銭機１５の現金在高は、釣銭準備金額Ａと等しくなる。
【００６４】
オペレータは、釣銭機１５から払い出された現金通貨を、券収納部に収納されている商品券及び汚損貨幣収納部に収納されている汚損貨幣とともに、納金機１３が設置されているバックヤードまで持参する。そして、自らのオペレータＩＤを納金者ＩＤとしてスキャナ２２２に読み取らせた後に、現金通貨を硬貨投入口４３１または紙幣投入口４３５に投入する。また、商品券を商品券投入口３３９に、汚損貨幣を汚損貨幣投入口３４３にそれぞれ投入する。
【００６５】
そうすると、投入された現金通貨の総額が納金金額として算出される。そして、オペレータのＩＤ（納金者ＩＤ）と、納金金額と、商品券投入フラグＦ１と、汚損貨幣投入フラグＦ２とを含む納金実績情報が、ストアコンピュータ１２に送信される。ここで、商品券投入フラグＦ１は、商品券が商品券投入口３３９に投入された場合に“１”にセットされる。汚損貨幣投入フラグＦ２は、汚損貨幣が汚損貨幣投入口３４３に投入された場合に“１”にセットされる。
【００６６】
一方、ストアコンピュータ１２の納金管理ファイル５０には、精算業務が終了したＰＯＳ端末１１から受信したＰＯＳ回収情報を基に、当該精算業務を担当した店員のオペレータＩＤ（被管理者ＩＤ）に対応付けて、回収金額、金券支払金額及び汚損貨幣合計額が記憶されている。この状態で、納金機１３から納金実績情報を受信すると、その納金実績情報に含まれる納金者ＩＤを被管理者ＩＤとするレコードに、当該納金実績情報に含まれる納金金額が格納される。また、同レコードから金券支払金額と汚損貨幣合計額とが読み出されて納金機１３に送信される。
【００６７】
その結果、納金機１３では、納金者ＩＤと関連付けて納金金額が記録されるだけでなく、ストアコンピュータ１２から受信した金券支払金額と汚損貨幣合計額とが記録された納金実績情報がＨＤＤ装置４０４に保存される。ここで、納金実績情報の金券支払金額は、当該納金担当者がＰＯＳ端末１１から回収した商品券の額面金額総額と一致する。また、汚損貨幣合計額は、当該納金担当者が同ＰＯＳ端末１１から回収した汚損貨幣の合計額と一致する。したがって、納金担当者は、商品券と汚損貨幣を納金機１３に収納する際に、商品券の額面金額総額と汚損貨幣の合計額とを手入力する必要はない。
【００６８】
このような作用は、精算業務を許容された他のオペレータが他のＰＯＳ端末１１で精算業務を実行し、釣銭機１５から払い出された回収金額を含む貨幣（商品券，汚損貨幣）を持参して納金機１３に収納した場合も同様である。
【００６９】
このように、本実施形態によれば、納金機１３に商品券や汚損貨幣を収納する際に、納金担当者が商品券の額面金額総額や汚損貨幣の合計額を手入力する必要がないので、納金担当者の負担を軽減することができる。また、入力ミスによって誤った納金データが管理されることがないので、納金データの信頼性向上を図り得る。
【００７０】
なお、本発明は、前記実施形態に限定されるものではない。  
例えば、前記実施形態では、釣銭機１５を接続したＰＯＳ端末１１を例示したが、釣銭機１５の代わりにドロワを接続したＰＯＳ端末１１を含む納金管理システムであっても、前記実施形態を適用することができる。ただし、ドロワを用いた場合は、汚損貨幣が殆ど生じない。
【００７１】
また、前記実施形態では、納金機１３をＬＡＮ１４に接続したが、納金機１３に納金したときの納金実績情報がストアコンピュータ１２に送信されるのであれば、ＬＡＮ１４以外の通信回線でストアコンピュータ１２に接続されていてもよく、必ずしもＬＡＮ１４に接続されている必要はない。
【００７２】
また、納金機１３がＬＡＮ１４に接続されている場合には、ＰＯＳ端末１１から納金機１３にＰＯＳ回収情報を直接送信するようにしてもよい。この場合、納金機１３では、納金業務において納金者ＩＤが入力されると、ＰＯＳ端末１１から受信したＰＯＳ回収情報のオペレータＩＤを検索する。そして、納金者ＩＤと一致するオペレータＩＤを検出したならば、そのＰＯＳ回収情報の金券金額と汚損貨幣金額を、収納された現金通貨の納金金額とともに、ＨＤＤ装置３０４に保存する。このように構成しても、ＰＯＳ端末１１から回収した貨幣を納金機１３に収納する際の手間が軽減される上、納金データの信頼性が高められる。
【００７３】
さらに、前記実施形態は、ストアコンピュータ１２の内部のプログラム記憶部であるＲＯＭ５０２に発明の機能を実現させる納金管理プログラムが予め記録されているものとした。しかしこれに限らず、同様のプログラムがネットワークからストアコンピュータ１２にダウンロードされてもよい。あるいは、記録媒体に記録された同様のプログラムが、ストアコンピュータ１２にインストールされてもよい。記録媒体は、ＣＤ−ＲＯＭ，メモリカード等のようにプログラムを記憶でき、かつ装置が読み取り可能であれば、その形態は問わない。また、プログラムのインストールやダウンロードにより得る機能は、装置内部のＯＳ（オペレーティング・システム）等と協働してその機能を実現させるものであってもよい。
【００７４】
この他、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。  
以下に、本願出願の当初の特許請求の範囲に記載された発明を付記する。  
［１］貨幣を収納する収納部を備えた金銭登録機と、前記収納部から回収された前記貨幣を収納する納金機と、前記金銭登録機と前記納金機とをそれぞれ通信手段を介して接続してなる納金管理装置とを含み、前記金銭登録機は、前記収納部から回収される貨幣の金銭的価値を合計する合計手段と、この合計手段により合計された前記金銭的価値合計額を含む回収情報を、前記通信手段を介して前記納金管理装置に送信する回収情報送信手段と、を具備し、前記納金機は、前記貨幣を収納したことを、前記通信手段を介して前記納金管理装置に通知する収納通知手段、を具備し、前記納金管理装置は、前記金銭登録機から受信した前記回収情報に含まれる前記金銭的価値合計額を記憶する記憶手段と、前記納金機から前記貨幣を収納したことが通知されると、前記記憶手段で記憶された前記金銭的価値合計額を、前記通信手段を介して前記納金機に送信する価値合計額送信手段と、を具備したことを特徴とする納金管理システム。
［２］前記金銭登録機は、前記収納部から前記貨幣を回収するオペレータの識別情報を取得する回収オペレータ取得手段、をさらに具備し、前記回収情報送信手段は、前記合計手段により合計されている前記金銭的価値合計額に前記回収オペレータ取得手段で取得したオペレータ識別情報を付加した回収情報を前記納金管理装置に送信し、前記納金機は、前記貨幣を納めるオペレータの識別情報を取得する収納オペレータ取得手段、をさらに具備し、前記収納通知手段は、前記貨幣を収納したことを、前記収納オペレータ取得手段により取得したオペレータ識別情報とともに前記納金管理装置に通知し、前記納金管理装置は、前記記憶手段において前記回収情報に含まれる前記金銭的価値合計額をその回収情報に含まれる前記オペレータ識別情報別に記憶し、前記価値合計額送信手段は、前記納金機から通知されたオペレータ識別情報に対応して記憶されている前記金銭的価値合計額を前記納金機に送信することを特徴とする付記［１］記載の納金管理システム。
［３］前記貨幣は、金券または汚損貨幣であることを特徴とする付記［１］または［２］記載の納金管理システム。
［４］貨幣を収納する収納部を備えた金銭登録機と、前記収納部から回収された前記貨幣を収納する納金機とをそれぞれ通信手段を介して接続してなる納金管理装置において、前記金銭登録機から、前記収納部から回収される貨幣の金銭的価値合計額を含む回収情報を受信する回収情報受信手段と、前記金銭登録機から受信した前記回収情報に含まれる前記金銭的価値合計額を記憶する記憶手段と、前記納金機から前記貨幣を収納したことの通知を受けたことに応じて、前記記憶手段で記憶された前記金銭的価値合計額を前記納金機に送信する価値合計額送信手段と、を具備したことを特徴とする納金管理装置。
［５］前記回収情報受信手段により受信される前記回収情報には、前記収納部から前記貨幣を回収するオペレータの識別情報が含まれており、前記記憶手段は、前記回収情報に含まれる前記金銭的価値合計額をその回収情報に含まれる前記オペレータ識別情報別に記憶し、前記価値合計額送信手段は、前記納金機から通知されたオペレータ識別情報に対応して記憶されている前記金銭的価値合計額を前記納金機に送信することを特徴とする付記［４］記載の納金管理装置。
［６］貨幣を収納する収納部を備えた金銭登録機と、前記収納部から回収された前記貨幣を収納する納金機とをそれぞれ通信手段を介して接続してなるコンピュータに、前記金銭登録機から、前記収納部から回収される貨幣の金銭的価値合計額を含む回収情報を受信させる回収情報受信機能と、前記金銭登録機から受信した前記回収情報に含まれる前記金銭的価値合計額を記憶部で記憶させる記憶機能と、前記納金機から前記貨幣を収納したことの通知を受けたことに応じて、前記記憶部で記憶された前記金銭的価値合計額を前記納金機に送信させる価値合計額送信機能と、を実現させるための納金管理プログラム。
【符号の説明】
【００７５】
１…納金管理システム、１１…ＰＯＳ端末、１２…ストアコンピュータ、１３…納金機、１４…ＬＡＮ、１５…釣銭機、６０…納金管理ファイル。
【図１】
0005526169.tif 000002
【図２】
0005526169.tif 000003
【図３】
0005526169.tif 000004
【図４】
0005526169.tif 000005
【図５】
0005526169.tif 000006
【図６】
0005526169.tif 000007
【図７】
0005526169.tif 000008
【図８】
0005526169.tif 000009
【図９】
0005526169.tif 000010
【図１０】
0005526169.tif 000011
【図１１】
0005526169.tif 000012
【図１２】
0005526169.tif 000013